(57)【要約】【課題】  給紙部の属性設定状態と矛盾する印刷モードが用いられる場合でも、容易な操作により給紙部の切り換えを行なうことができるようにする。【解決手段】  特定の印刷モード（シールモード）が選択された状態において、ユーザが該モードと矛盾する属性が設定された給紙部への切り換え操作を行なった時（Ａ〜Ｂ）、切り換え操作によって選択される給紙部の属性設定ユーザーインターフェース（Ｃ）を起動し、該給紙部の属性を設定させた後、切り換え操作によって選択される給紙部への切り換えを実行する（Ｄ）。【選択図】  図１０
2006044079.tif 000002
【特許請求の範囲】
【請求項１】
各々収容する用紙に関する属性を個々に設定可能な複数の給紙部と、前記給紙部のうちユーザが選択した給紙部の用紙を用いて印刷出力を行なう記録部を有する画像処理装置の制御方法において、
特定の印刷モードが選択された状態において、ユーザが前記特定の印刷モードと矛盾する属性が設定された給紙部への切り換え操作を行なった時、
前記切り換え操作によって選択される給紙部の属性設定ユーザーインターフェースを起動し、該給紙部の属性を設定させた後、前記切り換え操作によって選択される給紙部への切り換えを実行することを特徴とする画像処理装置の制御方法。
【請求項２】
請求項１に記載の画像処理装置の制御方法において、前記給紙部の属性設定ユーザーインターフェースにおいて、前記特定の印刷モードにおいて使用可能な属性のみを表示することを特徴とする画像処理装置の制御方法。
【請求項３】
請求項１に記載の画像処理装置の制御方法において、前記給紙部の属性設定ユーザーインターフェースにおいて、前記特定の印刷モードにおいて使用可能な属性を、他の属性と区別できるよう表示することを特徴とする画像処理装置の制御方法。
【請求項４】
請求項３に記載の画像処理装置の制御方法において、前記給紙部の属性設定ユーザーインターフェースにおいて、前記特定の印刷モードと矛盾する属性が設定された場合、ユーザの属性設定を優先し、前記特定の印刷モードを解除した後、前記切り換え操作によって選択される給紙部への切り換えを実行することを特徴とする画像処理装置の制御方法。
【請求項５】
請求項１〜５のいずれか１項に記載の画像処理装置の制御方法を実施することを特徴とする画像処理装置。
【請求項６】
請求項１〜５のいずれか１項に記載の画像処理装置の制御方法を所定の画像処理装置ハードウェアにおいて実施することを特徴とする画像処理装置の制御プログラム。
【発明の詳細な説明】
【技術分野】
【０００１】
本発明は、各々収容する用紙に関する属性を個々に設定可能な複数の給紙部と、前記給紙部のうちユーザが選択した給紙部の用紙を用いて印刷出力を行なう記録部を有する画像処理装置の制御方法、画像処理装置、および画像処理装置の制御プログラムに関するものである。
【背景技術】
【０００２】
従来、複写機などの画像記録を行なう画像処理装置において、印刷ジョブ（以下、単にジョブとも記す）単位で画像出力を制御する技術が知られている。このジョブ単位の制御では、用紙の種類やサイズなどの印刷条件（印刷属性値）がジョブごとに指定される。
【０００３】
一方、この種の画像処理装置では、複数の給紙部（たとえば複数の用紙カセットや手差し用紙などのための給紙口）を有するものが知られており、これら給紙部には特定の用紙があらかじめ装填されていたり、あるいは特定の用紙のみしか使用できないような状態あるいは仕様になっていたりすることがある。
【０００４】
したがって、ユーザが印刷時の給紙部を選択する際にジョブに対してその給紙部が対応可能かどうかを判断し、そしてジョブを実行する時にその条件を比較し、給紙を自動的に変更して給紙部を選択するものがあった（たとえば下記の特許文献１）。
【０００５】
また、印刷ジョブが発生した時に、手差し給紙部と印刷ジョブが一致しない場合には手差し給紙からの印刷を阻止するような技術も知られている（たとえば下記の特許文献２）。
【特許文献１】特許３３６５９８８号公報
【特許文献２】特開２０００−１３７４１５号公報
【発明の開示】
【発明が解決しようとする課題】
【０００６】
以上に示したように、従来では、印刷のジョブが有する印刷属性値（印刷条件）と、それに対する給紙部の整合性を判断し、給紙部選択や印刷の禁止／許可を制御する技術が知られている。
【０００７】
しかしながら、コストダウンが最重要視されるような装置では、コスト低減のため給紙部に各種センサをつけるのは難しいため、給紙された紙の内容を給紙部が知ることができないものがあり、この種の装置では、ユーザが給紙部に対して用紙のサイズや種類、印刷品位（印刷速度）などの属性を適宜設定する必要がある。
【０００８】
特にインクジェットを用いた複合機で複数の給紙部を持つ場合、インクジェットエンジンは様々な紙種に対して印刷が可能なため、給紙対象として幅広い紙種類が想定されており、給紙部毎に広い範囲に渡る紙サイズ、紙種類、印刷品位などの属性値をユーザが設定するようになっているものがある。これにより、給紙部に様々な種類の用紙を積載でき、正しい設定をユーザが行なえる、ということが条件にはなるが、複雑な給紙の情報を処理する事ができる。
【０００９】
一方、いわゆる応用モードなどと呼ばれる特殊印刷モード、たとえばシール（ステッカ）紙への印刷やはがきへのコピー、２ｉｎ１コピーなど、を設定した時に印刷に対して紙サイズ、紙種、印刷品位などを制限する場合がある。
【００１０】
たとえば、図９のように印刷の応用モードを設定し給紙部を切り換えした場合には、給紙部毎に紙サイズ、紙種類、印刷品位が各給紙部に設定されているため、応用モードによる設定の制限と切り換え後の指定給紙部の設定値に矛盾が生じる場合がる。
【００１１】
図９は、画像処理装置のＬＣＤ表示（左列）、ユーザ操作（中列）、選択中の給紙部（フィーダ、右列）の状態を示しており、シール印刷を行なう場合のユーザ操作に応じてＬＣＤ表示と選択中の給紙部の状態がどのように切り換わるかの一例を示している（Ａ〜Ｅ）。
【００１２】
この図９の操作の初期状態では、背面フィーダが給紙部として選択されている。
【００１３】
図９のＡでは、ユーザは適宜シールモードの設定を行なった後、スタートボタン（不図示）の操作が要求されている。このときユーザはフィーダセレクトキーを操作して、前面カセットにシールが装填されていることを認識しており、現在選択中の背面フィーダにかえて前面カセットを選択するが、このときＢのように記録紙設定が不正であることおよび設定のやり直しを促す表示が行なわれる。これは前面カセットの属性の状態はＢの右列のようにＡ４の普通紙となっていて、矛盾が生じるためである。
【００１４】
ユーザはこれに応じて、Ｃのようにメニュー操作などにより（まだ選択状態にはない）前面カセットの記録紙設定をやり直す。ここでは、前面カセットの紙サイズや紙の種類、さらに印刷品位などの属性を正しく設定する。
【００１５】
これにより前面カセットの設定結果はＣの右列（Ｃの設定操作の対象として選択されたフィーダの状態を示している）のようになるが、現在の選択状態は依然として背面フィーダのままであり、Ｄ〜Ｅのようにさらにフィーダセレクトキーを操作し、属性設定が済んだ前面カセットを選択しなければならない。
【００１６】
図９のような面倒な操作は、たとえば、ジョブに紙サイズをシールサイズ固定とするシールコピーが設定されているときに、Ａ４の設定がされている給紙部に切り換えられたときなどにも必要になる。
【００１７】
以上に示したように、ユーザが給紙部の属性を設定する構成においては、従来ではジョブの属性と給紙部の属性に矛盾があったときは給紙切換を簡単に行なうことができなかった。このためユーザが給紙を切り換える際には給紙部の設定値を各々しかるべく正しいものに切り換えてから給紙切換をユーザが行わないと印刷が開始されず、取り扱いが極めて面倒である、という問題があった。
【００１８】
たとえば図９の例に即していえば、特定の印刷モード（応用モード）と矛盾する属性設定状態となっている給紙部（前面カセット）は、直ちには選択することができず、該給紙部の属性を正しく設定し、改めて該給紙部への切り換え操作（Ｄ〜Ｅ）を行なうことにより始めて選択可能となる。
【００１９】
すなわち、従来では、印刷の応用モードを設定した時に給紙部を切り換えした場合に給紙部毎に紙サイズ、紙種類、印刷品位が各給紙部に設定されているため、応用モードによる設定の制限と切り換え後の指定給紙部の設定値に矛盾があったときは給紙切換を簡単に行なうことができず、そのため、切り換えたい時は給紙部の属性を各々正しいものに切り換えてから給紙部の切換をユーザが行わなくてはならないため、操作性が極めてが低い、という問題があった。
【００２０】
本発明の課題は、上記の問題を解決し、複数の給紙部を有する画像処理装置において、給紙部の属性設定状態と矛盾する印刷モードが用いられる場合でも、ユーザに余計な負荷を与えることなく、容易な操作により給紙部の切り換えを行なうことができるようにすることにある。
【課題を解決するための手段】
【００２１】
上記課題を解決するため、本発明では、各々収容する用紙に関する属性を個々に設定可能な複数の給紙部と、前記給紙部のうちユーザが選択した給紙部の用紙を用いて印刷出力を行なう記録部を有する画像処理装置の制御方法、画像処理装置、および画像処理装置の制御プログラムにおいて、特定の印刷モードが選択された状態において、ユーザが前記特定の印刷モードと矛盾する属性が設定された給紙部への切り換え操作を行なった時、前記切り換え操作によって選択される給紙部の属性設定ユーザーインターフェースを起動し、該給紙部の属性を設定させた後、前記切り換え操作によって選択される給紙部への切り換えを実行する構成を採用した。
【発明の効果】
【００２２】
上記構成によれば、給紙部の属性設定状態と矛盾する印刷モードが用いられる場合でも、ユーザ所望の給紙部切り換え操作を優先し、給紙部の属性設定ユーザーインターフェースにおいて、しかるべく給紙部の属性設定を行なわせた後、ユーザ所望の給紙部への切り換えを実行でき、ユーザに余計な負荷を与えることなく、容易な操作により給紙部の切り換えを行なうことができる、という優れた効果がある。
【発明を実施するための最良の形態】
【００２３】
以下では、画像記録を行なうとともに、複数の給紙部を有する画像処理装置に関する実施例を示す。
【実施例１】
【００２４】
図１は本発明を採用した画像処理装置１００の概略構成を示している。図１の画像処理装置１００において、ＣＰＵ１０１は、システム制御部であり、画像処理装置１００の全体を制御する。
【００２５】
ＲＯＭ１０２は、ＣＰＵ１０１が実行する制御プログラムや組み込みオペレーティングシステム（ＯＳ）プログラム等を格納する。本実施例では、ＲＯＭ１０２に格納されている各制御プログラムは、ＲＯＭ１０２に格納されている組み込みＯＳの管理下で、スケジューリングやタスクスイッチ等のソフトウエア制御を行なう。
【００２６】
ＲＡＭ１０３は、ＳＲＡＭ（ｓｔａｔｉｃ  ＲＡＭ）等で構成され、プログラム制御変数等を格納し、また、オペレータが登録した設定値や画像処理装置１００の管理データ等を格納し、また、各種ワーク用バッファ領域が形成される。
【００２７】
画像メモリ１０４は、ＤＲＡＭ（ｄｙｎａｍｉｃ  ＲＡＭ）等で構成され、画像データを蓄積する。
【００２８】
データ変換部１０５は、ページ記述言語（ＰＤＬ）等の解析や、キャラクタデータのＣＧ（ｃｏｍｐｕｔｅｒ  ｇｒａｐｈｉｃｓ）展開等、画像データの変換を行なう。データ変換部１０５は専用のハードウェアで構成する他、ＣＰＵ１０１のソフトウェアにより構成されていてもよい。
【００２９】
本実施例の画像処理装置１００は、画像読取と画像記録の両方を行なえるように構成されている。このうち、画像読取に関しては、読取制御部１０６、および読取制御部１０６により制御される読取部１０７が設けられている。
【００３０】
読取制御部１０６は、読取部１０７がＣＩＳイメージセンサ（密着型イメージセンサ）によって原稿を光学的に読み取り、電気的な画像データに変換した画像信号を図示しない画像処理制御部を介して２値化処理や中間調処理等の各種画像処理を施し、高精細な画像データを出力する。なお、本実施例では、読取制御部１０６は、原稿を搬送しながら読み取りを行なうシート読取制御方式と、原稿台にある原稿をスキャンするブック読取制御方式の両制御方式が可能な搬送機構を有しているものとする。
【００３１】
操作部１０８は、数値入力キー、文字入力キー、ワンタッチ電話番号キー、モード設定キー、決定キー、取り消しキー等を備え、ユーザが画像送信相手先データの決定や登録値の設定データや省エネモードの設定の登録動作を行なうための各種ファンクションキー、ＬＥＤ（発光ダイオード）とＬＣＤ（液晶ディスプレイ）等によって構成され、オペレータによる各種入力操作や、画像処理装置１００の動作状況、ステータス状況の表示等を行なう表示部である。
【００３２】
本実施例の画像処理装置１００は、画像データを通信回線１３１を介して送受信できるように構成されている。このために、本実施例の画像処理装置１００は通信制御部１０９、解像度変換処理部１１０、符号復号化処理部１１１などを設けてある。
【００３３】
通信制御部１０９は、ＭＯＤＥＭ（変復調装置）や、ＮＣＵ（網制御装置）等によって構成されている。本実施例では、通信制御部１０９は、アナログの通信回線（ＰＳＴＮ）１３１に接続され、Ｔ３０プロトコルでの通信制御、通信回線に対する発呼と着呼等の回線制御を行っている。なお、通信回線の構成は任意であり、たとえばＶｏＩＰなどの通信方式を用いる場合には通信制御部１０９にはＡＤＳＬモデムやスプリッタなど、通信方式に適合した構成が用いられる。
【００３４】
解像度変換処理部１１０は、画像データのミリ−インチ解像度変換等の解像度変換制御を行なう。また、解像度変換部１１０により画像データの拡大縮小処理も行なうことができる。
【００３５】
符号復号化処理部１１１は、画像処理装置１００で扱う画像データ（ＭＨ、ＭＲ、ＭＭＲ、ＪＢＩＧ、ＪＰＥＧ等）の符号復号化処理や、拡大縮小処理を行なう。
【００３６】
本実施例の画像処理装置１００は、画像記録出力のため、記録制御部１１２、記録部１１３、および給紙部１１４を有している。
【００３７】
このうち記録制御部１１２は、印刷される画像データに対し、図示しない画像処理制御部を介して、スムージング処理や記録濃度補正処理、色補正等の各種画像処理を施し、高精細な画像データに変換し、後述の記録部１１３に出力する。また、記録部１１３を制御することにより、定期的に記録部１１３の状態情報を取得する機能も有している。
【００３８】
記録部１１３は、レーザビームプリンタやインクジェットプリンタ等の任意の記録方式によるハードウェアから構成された印刷装置であり、カラー画像データ、またはモノクロ画像データを印刷部材に印刷する。
【００３９】
給紙部１１４は印刷のための用紙を保持するためのもので、記録制御部１１２の制御により記録部１１３に対して用紙を供給する。
【００４０】
給紙部１１４は複数種類の異なる用紙を保持するために複数用意され、記録制御部１１２によりどの給紙部から給紙を行なうかが制御される。
【００４１】
本実施例では画像処理装置１００とＰＣ１１９のインターフェースとしてＵＳＢファンクション制御部１１５が設けられている。
【００４２】
ＵＳＢファンクション制御部１１５は、ＵＳＢ通信規格にしたがって、プロトコル制御を行ない、ＣＰＵ１０１が実行するＵＳＢ制御タスクからのデータをパケットに変換し、ＰＣ１１９に対してＵＳＢパケット送信を行ったり、逆に、ＰＣ１１９からのＵＳＢパケットを、データに変換してＣＰＵ１０１に対し送信する。
【００４３】
データ蓄積部１１６はデータを蓄積するための記憶装置である。画像メモリ１０４を構成するＤＲＡＭではデータバックアップ用の領域を用意していないため、本実施例ではデータ蓄積手段としてデータ蓄積部１１６を用意しているが、画像メモリ１０４がバックアップのための手段を有しているなどの場合はこのデータ蓄積部１１６は特に設けなくてもよい。このデータ蓄積部１１６により記録データや制御データのバックアップなどを行なうことができる。本実施例ではデータ蓄積部１１６としてＤＲＡＭを用いるが、ハードディスクや揮発性メモリ等を使用することもでき、データ蓄積部１１６を構成する記憶媒体の方式は任意である。
【００４４】
ＵＳＢホスト制御部１１７は、ＵＳＢ通信規格で定められたプロトコルで通信を行なうための制御部である。ＵＳＢ通信規格は、双方向のデータ通信を高速に行なうことができる規格であり、１台のホスト（マスター）に対し、複数のハブまたはファンクション（スレーブ）を接続することができる。本実施例ではＵＳＢホスト制御部１１７にはＵＳＢインターフェース１１７ａを介してメモリカード１１８を接続できるようになっている。
【００４５】
あるいは、ＵＳＢホスト制御部１１７にはデジタルカメラを直接接続することもできる。
【００４６】
メモリカード１１８はデータ記憶媒体であり、ＵＳＢインターフェース１１７ａを介して画像処理装置１００に接続される。メモリカード１１８に格納された画像データ、その他電子データに対して、ＣＰＵ１０１はＵＳＢホスト制御部１１７を介してアクセスすることができる。なお、本実施例においては、記録機能のＵＳＢ通信は１対１の接続形態を用いる。
【００４７】
上記の符号１０１〜１０６、および１０８〜１１４の各構成要素は、ＣＰＵ１０１が管理するＣＰＵバス１２１を介して、相互に接続されている。
【００４８】
図２は、図１の画像処理装置１００の操作部１０８の構成例を示している。
【００４９】
図２に示すように、本実施例の操作部１０８にはメッセージやオペレーションプロンプト、各種情報の表示のために用いられるＬＣＤ２０１の他、電源キー２０２、コピーモードキー２０３、フィルムモードキー２０４、スキャンモードキー２０５、フォトモードキー２０６、メニューキー２０７、ユーザ設定キー２０８、フォトインデックスシートキー２０９、マイナスキー２１０、プラスキー２１１、セットキー２１２、スライドショーキー２１３、用紙設定キー２１４、フィーダーセレクトキー２１５、ＳＴＯＰキー２１６、モノクロスタートキー２１７、カラースタートキー２１８の各操作キーが設けられている。以下、各キーの機能につき説明する。
【００５０】
電源キー２０２は装置の電源をＯＮ／ＯＦＦするためのキーである。
【００５１】
コピーモードキー２０３は画像処理装置１００をコピーができる状態にするためのキーである。このコピーモードキー２０３を押下することで装置をコピーモードにすることができる。
【００５２】
フィルムモードキー２０４は画像処理装置１００をフィルムからの印刷ができる状態にするためのキーである。このフィルムモードキー２０４を押下することで装置をフィルムモードキーにすることができる。
【００５３】
スキャンモードキー２０５は画像処理装置１００をスキャンができる状態にするためのキーである。このスキャンモードキー２０５を押下することにより装置をスキャンモードにすることができる。
【００５４】
フォトモードキー２０６は画像処理装置１００をデジタル写真のカードやカメラからのダイレクト印刷ができる状態にするためのキーである。このフォトモードキー２０６を押下することで装置をフォトモードにすることができる。
【００５５】
メニューキー２０７はコピーやファックス、カードからのダイレクト印刷などの実行時の設定値を設定する項目を表示するためのキーである。このメニューキー２０７を押下することにより実行用のメニューアイテムをＬＣＤ２０１に表示することができ、さらにプラスキー２１１やマイナスキー２１０などでメニューアイテムを選択し、セットキー２１２でセットすることができる。
【００５６】
ユーザ設定キー２０８はユーザが装置に設定する設定値を登録するための画面を表示するキーである。ユーザ設定キー２０８を押下する事でユーザ設定項目をＬＣＤ２０１に表示することができ、プラスキー２１１やマイナスキー２１０などで選択し、セットキー２１２でセットすることができる。
【００５７】
フォトインデックスシートキー２０９はフォトインデックスシートの印刷もしくは読取を行なうための画面に移行することのできるキーである。画像処理装置１００にメモリカード１１８が挿入された状態においてこのキーが押下されたら、フォトインデックスシートの印刷、もしくは読取を指示できる設定画面に移行し、プラスキー２１１やマイナスキー２１０などで読取か印刷かを選択し、セットキー２１２でセットした機能を実行させることができる。
【００５８】
マイナスキー２１０、およびプラスキー２１１はメニューやユーザ登録など、ユーザが複数の選択肢から選択を行なう際に使用されるキーである。マイナス、プラスの意味はメニューなどのコンテキストにより種々の意味で用いられるが、概ねそれぞれ逆順、正順の操作方向を指定するために用いられる。
【００５９】
セットキー２１２は選択された項目に対して決定を行なうキーである。
【００６０】
スライドショーキー２１３はメモリカード１１８の画像を表示部１０８に順に表示していく仕様である。
【００６１】
用紙設定キー２１４は、コピーやその他印刷の設定の用紙設定を行なうために用いられる。
【００６２】
フィーダーセレクトキー２１５は給紙部１１４の給紙部が複数の給紙部から構成されている場合、目的の給紙部に切り換えを行なう際に使用される。
【００６３】
ＳＴＯＰキー２１６はファクシミリ送受信、コピーやその他のオペレーション操作を停止させるキーである。
【００６４】
モノクロスタートキー２１７は白黒ファクシミリ送信、白黒コピーなどを開始するキーである。
【００６５】
カラースタートキー２１８はカラーファクシミリ送信、カラーコピーやカラー写真印刷などを開始させるために用いられる。
【００６６】
図３（ａ）および（ｂ）は本実施例の画像処理装置１００におけるコピーサイズ、紙種類、印刷品位などの設定操作体系の一例を示している。本実施例では、印刷ジョブないし給紙部に対する設定でこれらの属性が設定される。給紙部に関してもユーザが属性設定を行なうものとする。
【００６７】
図３（ａ）は通常コピーの設定値の例を示しており、左列のサイズ情報に基づいて、中および右列に示される紙種類（普通紙、光沢紙、ＩＪフォトなど）や印刷品位（「はやい」、「ふつう」、「キレイ」）の属性で選択できるものが制限されている。なお、本実施例では、印刷品位として、「はやい」、「ふつう」、「キレイ」の属性表現を用いているが、これらはそれぞれ高速（低品位）、中速（中品位）、低速（高品位）など別の属性表現を用いて示すようにしてもよい。
【００６８】
たとえば、図３（ａ）に示すように、はがきサイズに対しては、紙種類は普通紙の他にインクジェット（ＩＪ）・フォトの２種類のみが指定でき、また、紙種類が光沢紙の場合は、印刷品位が「キレイ」のみとなる。
【００６９】
このように、本実施例では、設定するサイズ、紙種類、印刷品位は属性値により選択できる設定に制限を設けているが、もちろんこれは記録ハードウェアなどの仕様に応じて最良の出力結果を得られるようにするためである。
【００７０】
また、図３（ｂ）は、コピー応用モードでの設定体系の一例を示している。このコピー応用モードは、シール印刷、両面印刷、２ｉｎ１や、ふちなし印刷、リピート印刷などの特殊印刷モードであり、図示のように、モードごとに設定できるサイズに制限を設けている。たとえば、“シール”に設定した場合、サイズはシール（ステッカ）に設定される。そして紙種類は光沢紙に設定され、印刷品位は「キレイ」に設定される。あるいは、“両面”・“ふちなし”はサイズがＡ４かＬＴＲに限定される。さらに両面印刷は普通紙に限定される。また応用モードにおいても“リピート”は通常コピーと同等の設定が可能となる。このように応用モードを設定した際はコピーの属性値を制限して設定しなくてはいけない状態になる。
【００７１】
なお、図３（ａ）、（ｂ）に示した設定体系はあくまでも１例にすぎず、その細部の構成は当業者において任意であり、たとえば印刷の属性を決めるための値であればここに示したもの以外の属性が設定可能となっていてもかまわないのはいうまでもない。
【００７２】
図４は、本実施例の画像処理装置１００における給紙部選択操作の１例を示している。図４は、（１）〜（３）の各表形式で示すように前面カセットと背面フィーダーの二つの給紙部がある場合に、これら２つの給紙部に各々設定がされていく様子を示している。
【００７３】
本実施例では前面カセットと背面フィーダーで紙サイズ、紙種類、印刷品位が各々設定されている。表（１）の状態では、前面カセットには「Ａ４・普通紙・はやい」が設定されており、背面フィーダーには「シール・光沢紙・「キレイ」」が設定されている。以下、表（２）および（３）は、表（１）の状態から通常コピー設定時の給紙切り換え（後述）を行なった場合の設定状態の変化を示している。各表の間のブロックは、ユーザの操作を示している。
【００７４】
図４の表（１）から（２）への遷移では、ユーザは通常コピー操作を行なっており、ここでは前面カセットから背面フィーダーへの切り換えを行なっている。この通常コピー設定のときは現在の設定を変えるだけで、給紙部の各々の設定は変更を行なわない。この結果表（２）の状態となる。
【００７５】
この表（２）の状態は、図３（ｂ）に示したように用紙や品位に制限のある（たとえば用紙にはシール以外を用いることができない）シールコピーモードが選択されており、表（１）および（２）の前面カセットの状態はシールコピーモードと矛盾した状態となっている。
【００７６】
この表（２）の状態から、さらにユーザがシールコピーモードに切り換え、しかもユーザは給紙部を背面フィーダーから前面カセットに切り換えたいと所望しているとする。
【００７７】
このような状態では、従来技術では、前面カセットの状態をしかるべく設定変更してからでないと、前面カセットに切り換えることはできなかったが、本実施例では、前面カセットへの切り換えを許容するとともに、ユーザが前面カセットの属性設定をシールモードに整合するように変更できるようなユーザーインターフェースを起動する。
【００７８】
このユーザーインターフェースにより、ユーザが前面カセットに対してシールコピーモードで可能な「シール」「光沢紙」「キレイ」の正しい属性を設定（もちろん実際の前面カセットの状態もしかるべく整備するのはいうまでもない）すれば、図４の表（３）のように給紙を背面フィーダーから前面カセットに切り換えることができる。
【００７９】
図５は、給紙切り換え時の給紙部切り換え制御の１例を示している。図５は、画像処理装置１００において、給紙切換が行われる際の設定制御を示したものである。図示の手順はＣＰＵ１０１のプログラムとしてＲＯＭ１０２などに格納しておく（後述のフローチャートの制御も同様）。また、図５の制御に対応したＬＣＤの表示、ユーザ操作、フィーダーの設定状態の遷移を図１０に示す。
【００８０】
まず、図５のステップＳ５０１において、ＣＰＵ１０１は給紙切換キーが押下されたかどうかの判別を行なう。もし給紙切換キーが押下された場合は、次にステップＳ５０２にいく。給紙切換が押下されない場合ステップＳ５０１において給紙切換が行われるまで待つ。
【００８１】
ステップＳ５０２では応用コピーモードが設定されているかどうかの判別を行なう。特に応用モードが設定されていなければステップＳ５０６に行き給紙切換を行なう。一方、ステップＳ５０２において応用モードが設定されているときはステップＳ５０３に移行する。
【００８２】
なお、応用コピーモードは後述の図８のような制御により設定されるが、図１０に関して説明しておくと、図１０のＡでは、応用コピーモードの１つであるシールモードが選択されている。
【００８３】
続いてステップＳ５０３においてはユーザがステップＳ５０１の操作により指定した給紙部に設定されている用紙のサイズや種類などの属性が、現在設定されている印刷の応用モードでの制限と合うかどうか判断する。もし応用モードの制限内の設定値が当該給紙部の属性として設定されていたら、ステップＳ５０６に移行し、給紙部を実際に切り換える。一方ステップＳ５０３において、当該給紙部に設定されている用紙のサイズや種類などの属性が応用モードの制限外の設定値になってしまっている場合は、ステップＳ５０４に移行する。
【００８４】
ステップＳ５０４では用紙に矛盾があることを装置の表示部１０８を用いて警告し、ステップＳ５０５に移行する。この警告表示は図１０ではＢの表示に対応する。ただし、この表示はあくまでも警告であり、従来のように属性に矛盾のある給紙部への切り換えを禁止するものではなく、本実施例ではステップＳ５０５ではユーザの所望の給紙部への切り換えを許容し、さらに、該給紙部に関する用紙設定ユーザーインターフェースを表示して属性設定を行なわせる。ユーザはこの段階で切り換え先の給紙部に関する用紙の属性設定を行なうことができる。
【００８５】
このステップＳ５０５の設定制御の詳細は後述の図６に示すが、図１０では、この切り換え指定された給紙部に関する用紙設定ユーザーインターフェースの表示はＣの表示画面に相当する。
【００８６】
ステップＳ５０５で用紙の設定を終えると、ステップＳ５０６において、給紙部の切り換えを行なう。図１０の例では、前面カセットの「Ａ４」（用紙サイズ）、「普通紙」（用紙種類）「はやい」（印刷品位）の属性を、それぞれ「シール」、「光沢紙」、「キレイ」に変更している。
【００８７】
ステップＳ５０６では、以上のようにして属性設定が終了した給紙部の切り換えを行なう。図１０のＤに示すように、本実施例によれば、図９のＤ〜Ｅのような無駄な給紙部の選択しなおしがなく、図１０のＤに示されるようにユーザが指定した給紙部がしかるべく属性設定された状態で選択される。
【００８８】
図６は、図５のステップＳ５０５において行なわれる応用コピーモードにおける給紙部切り換え時の設定制御例を示している。この図６の制御により、図１０のＣにおける給紙部（前面カセット）の用紙設定ユーザーインターフェースが実行される。
【００８９】
まず、ステップＳ６０１において応用コピーモードで使用可能な用紙サイズを表示する。ここでたとえば、図４の表（２）のように、給紙部に背面フィーダーが選択され、応用コピーモードとしてシールコピーが選択されていたとする。この場合、給紙選択操作が行なわれ、用紙設定画面に入った場合、使用可能な用紙サイズとしてはシール紙、用紙種類としては光沢紙のみが選択肢となるので、このシール紙と光沢紙を選択項目として表示することになる。
【００９０】
また、たとえば、設定されている応用コピーモードが２ｉｎ１コピーの場合、図３（ｂ）から明らかなように紙サイズとしてＡ４／ＬＴＲ、紙種類は普通紙または光沢紙が選択可能であるから、紙サイズとしてＡ４／ＬＴＲの選択、紙種類としては普通紙または光沢紙を選択項目として表示する。
【００９１】
以上のようにして、ステップＳ６０１で選択可能な用紙のサイズ／種類を表示した後、ステップＳ６０２において用紙のサイズおよび種類を設定されたかどうか確認する。用紙のサイズおよび種類が選択された場合はステップＳ６０４に移行し、選択が行なわれない場合はステップＳ６０３においてＳＴＯＰキー２１６が押下されたかどうかの判別を行なう。もし押下されたら丸数字１の分岐（図５の終了処理）に進み、処理を中止し、この場合は給紙が切り換わらないで処理が終了する。つまり、ここではＳＴＯＰキー２１６の押下により給紙切り換えが完了せずに終了することを意味している。一方、ステップＳ６０３においてＳＴＯＰキーが押下されてないとすると再びステップＳ６０２において用紙のサイズ／種類が選択されるのを待つ。
【００９２】
用紙のサイズ／種類が設定されるとステップＳ６０４においてステップＳ６０３で設定された用紙のサイズ／種類を切り換え後の給紙部の紙サイズ、紙種類の設定値として設定する。
【００９３】
上記のようにして、給紙切り換え時に用紙の設定をユーザに表示し、切り換え時に用紙設定を簡単に設定することができる。つまり、ユーザは印刷の応用モードを設定していて、給紙を切り換える場合には、給紙切り換えを押下した場合でも、事前に用紙設定の操作を行なうことなく切り換え後の給紙部の設定を行なうことができ、操作性を大きく向上できる。
【００９４】
図７は応用コピーモードの設定制御例を示している。
【００９５】
図７のステップＳ７０１は装置の待機状態であり、ステップＳ７０２においてメニューキー２０７が操作されるのを待ち、メニューキー２０７が操作されるとステップＳ７０３に進む。
【００９６】
メニューキー２０７が操作されると、ステップＳ７０３においてメニューをＬＣＤ２０１に表示する。このメニューにより、コピーの設定の変更や装置の詳細設定、応用コピーモードなどを設定することができる。
【００９７】
ステップＳ７０４では、各種の応用コピーを設定されているかどうか判定する。ここでイメージリピートコピーを設定されたら、ステップＳ７０５にてイメージリピートコピーモードを設定する。またステップＳ７０４にて２ｉｎ１コピーを設定された場合はステップＳ７０６にて２ｉｎ１コピーモードを設定する。またステップＳ７０４にてシールコピーを設定された場合はステップＳ７０７においてシールコピーモードを設定する。また、ステップＳ７０４にて両面コピーが設定された場合はステップＳ７０８において両面コピーモードを設定する。またステップＳ７０４にてふちなしコピーを設定された場合はステップＳ７０９においてふちなしコピーモードを設定する。このようにして、画像処理装置１００の各種の応用印刷モードを設定することができる。
【００９８】
以上に示したように、応用印刷モード（特殊印刷モード）を設定している時の給紙部の切換は、従来のように事前にユーザが切換後の給紙部の設定を行なってからあらためて実行するような煩雑な操作を必要とすることなく、給紙切り換えのタイミングで、切り換え後の給紙部の印刷用属性値の値変更として実行することができる。
【００９９】
したがって、従来の図９のＣ〜Ｄ〜Ｅのような煩雑な操作を行なうことなく、図１０に示したようにユーザが給紙部切り換えと、必要な切り換え先の給紙部の属性設定をストレスなく行なうことができる。図９との比較から明らかなように、図１０では直接Ｃ〜Ｄに遷移しており、図９で無駄に行なわれていたＤのステップが不要となっていることがわかる。
【０１００】
また、ユーザが設定した応用コピーモードを設定したことを優先して取り扱い、できるだけコピーの応用設定を解除されないように配慮した給紙選択を行なうことができる。
【実施例２】
【０１０１】
上記実施例の図６に示した給紙部切り換え時の用紙変更制御は図８のような制御に置換してもよい。本実施例では図８以外はハードウェア構成およびソフトウェア構成は上記実施例と同様でよく、これらについての説明は省略する。
【０１０２】
図８は、図５のステップＳ５０５において行なわれる応用モード設定状態における給紙切り換え時の用紙制御例を示している。
【０１０３】
図８のステップＳ８０１では、設定可能な用紙サイズ、用紙種類を表示する。本実施例は応用モードで使用できる設定のみを選択肢として表示する実施例１とは異なり、装置が設定できる全ての用紙種類、用紙サイズを表示する。
【０１０４】
たとえば、応用コピーモードとして２ｉｎ１モードが設定されているとして給紙切り換えを行ない、切り換え後の給紙部の設定属性が２ｉｎ１モードで使用可能な（図３（ｂ）参照）Ａ４／ＬＴＲではなかったとき、実施例１（図６のステップＳ６０１）ではＡ４もしくはＬＴＲしか表示がされなかったが、本実施例では図１１に示すようにＡ４、ＬＴＲ、ＬＧＬ、Ｂ５…と装置が設定できる用紙の設定を全て選択肢として表示し選択させる。
【０１０５】
ただし、このステップＳ８０１では表示時に応用コピーで使用する用紙属性は、応用コピーで使用できるものをマークによって示すようにする。すなわち、図１１では、ＬＣＤ２０１に黒三角マークを表示して、２ｉｎ１コピーで使用可能なＡ４もしくはＬＴＲを区別できるように表示している。また、この黒三角マークの付されていない属性は本実施例では選択不可とせず（下記のステップＳ８０３参照）、ユーザは選択を強行できる。
【０１０６】
なお、本実施例では応用モードで使用可能な属性に対して（黒三角）マークを用いているが、このような表示は応用コピーモードでの制限されている属性値であるという表示であれば任意の形式により行なえばよい。
【０１０７】
続いて、ステップＳ８０２において用紙サイズ、用紙種類を設定したかどうかの確認を行なう。ここで、もし設定がされていなければステップＳ８０５にてＳＴＯＰキー２１６が押下されたかどうかの確認を行なう。もしＳＴＯＰキー２１６が押下されていたら図６の場合と同様に給紙切り換えを行なわずに終了する。もしステップＳ８０５においてＳＴＯＰキー２１６が押下されなければ再びステップＳ８０２で用紙のサイズ／種類の設定が行なわれるのを待つ。
【０１０８】
ステップＳ８０２で用紙のサイズ／種類の設定が行なわれると、ステップＳ８０３においてステップＳ８０２で設定された用紙のサイズ／種類が現在設定されているコピー応用モードと矛盾しないかの確認を行なう。もし矛盾が起きていれば、次にステップＳ８０６に行き、応用コピーモードの設定を解除する。
【０１０９】
すなわち、本実施例では、ユーザの所望の用紙のサイズ／種類などの属性設定操作を優先させ、それが印刷モード（応用モード）と矛盾しているのであれば印刷モード（応用モード）の方を解除する。
【０１１０】
一方、ステップＳ８０３で応用モードと矛盾が生じなければ、次にステップＳ８０４に移行し、給紙切り換え後の給紙部にステップＳ８０２で設定した給紙情報を設定する。
【０１１１】
以上のようにして、用紙の設定時に応用コピーモードと矛盾しない紙サイズ、紙種類などの属性を設定した場合は、給紙切り換えを行って切り換え後の給紙部に設定を行ない、また矛盾が生じた際は、ユーザの最新の設定操作、すなわち用紙のサイズ／種類の設定操作を優先させ、それが印刷モード（応用モード）と矛盾しているのであれば印刷モード（応用モード）の方を解除する。
【０１１２】
以上説明した方法により、ユーザが給紙切り換え時に給紙切り換え後に使用したい用紙が応用コピーモードに対応していなければ、応用コピーを自動的に解除し、ユーザが使用したい用紙設定を優先させることができる。また用紙設定時に応用コピーの制限内であれば応用コピーを残したまま設定が可能となる。
【０１１３】
すなわち、実施例１より給紙選択の優先度をあげ、常に給紙選択を矛盾した設定をさせることなく行なうことができ、解除が必要な場合は給紙の切り換えを行なうことで自動的に応用コピーモードを解除することができる。実施例１と比較して異なる点は、ユーザが最新に行なった給紙選択の操作を優先させ印刷モード設定との矛盾があれば印刷モード設定の方を変更して最新に行なわれたユーザ所望の給紙選択の動作を尊重して実行する、という点が異なる。
【０１１４】
なお、上記各実施例において例示した各種の応用印刷モードは一例にすぎず、紙種類、紙サイズなど印刷の属性値を制限するような特別なコピー（印刷／記録出力）のモードであれば上記同様の制御を行なうことができるのはいうまでもなく、また、給紙部選択に関するコピー（印刷／記録出力）の属性情報として用紙サイズ／用紙種類を示したが、これらが上記に限定されることなく、他の属性であっても応用モードの動作に影響を与える属性に関しても上記同様の制御を行なうことができるのはいうまでもない。
【０１１５】
また、上記各実施例では給紙切り換え時に給紙部を前面カセット／背面フィーダーの２つしか示していないが、より多数の給紙部があっても同様の制御を行なうことができるのはいうまでもない。
【産業上の利用可能性】
【０１１６】
本発明は、複数の給紙部を有し、各給紙部ごとに属性情報が設定されるような画像処理装置であれば、任意の画像処理装置に適用することができる。
【０１１７】
本発明の方法およびプログラムを実現するためのソフトウェアは、上記のＲＯＭ（ＲＡＭ）に限定されることなく、フロッピー（商標名）ディスク、ＣＤＲＯＭ、ハードディスク、メモリカード、光磁気ディスクなどの他の記憶媒体に記憶させておくことができ、また、ネットワーク経由でこれらの装置に導入し、また、アップデートを行なうよう構成することができる。
【図面の簡単な説明】
【０１１８】
【図１】本発明を採用した画像処理装置のハードウェア構成を示したブロック図である。
【図２】図１の装置における操作部の構成を示したブロック図である。
【図３（ａ）】図１の装置においてコピーサイズ、紙種類、印刷品位の設定体系（通常モード）の一例を示した説明図である。
【図３（ｂ）】図１の装置においてコピーサイズ、紙種類、印刷品位の設定体系（応用モード）の一例を示した説明図である。
【図４】図１の装置における給紙選択操作の１例を示した説明図である。
【図５】図１の装置における給紙切換制御例を示したフローチャート図である。
【図６】図１の装置における給紙切り換えにともなう用紙設定画面における制御例を示したフローチャート図である。
【図７】図１の装置における応用モードの設定制御例を示したフローチャート図である。
【図８】図１の装置における給紙切り換えにともなう用紙設定画面における異なる制御例を示したフローチャート図である。
【図９】従来の給紙部選択操作の際の問題点を示した説明図である。
【図１０】本発明による給紙部選択操作を示した説明図である。
【図１１】図８の制御例を採用する場合の表示例を示した説明図である。
【符号の説明】
【０１１９】
１００  画像処理装置
１０１  ＣＰＵ
１０２  ＲＯＭ
１０３  ＲＡＭ
１０４  画像メモリ
１０５  データ変換部
１０６  読取制御部
１０７  読取部
１０８  操作部
１０９  通信制御部
１１０  解像度変換処理部
１１１  符号復号化処理部
１１２  記録制御部
１１３  記録部
１１４  給紙部
１１５  ＵＳＢファンクション制御部
１１６  データ蓄積部
１１７  ＵＳＢホスト制御部
１１８  メモリカード
１２１  ＣＰＵバス
１３１  通信回線
２０１  ＬＣＤ
２０２  電源キー
２０３  コピーモードキー
２０４  フィルムモードキー
２０５  スキャンモードキー
２０６  フォトモードキー
２０７  メニューキー
２０８  ユーザ設定キー
２０９  フォトインデックスシートキー
２１０  マイナスキー
２１１  プラスキー
２１２  セットキー
２１３  スライドショーキー
２１４  用紙設定キー
２１５  フィーダーセレクトキー
２１６  ＳＴＯＰキー
２１７  モノクロスタートキー
２１８  カラースタートキー
【図１】
2006044079.tif 000003
【図２】
2006044079.tif 000004
【図３（ａ）】
2006044079.tif 000005
【図３（ｂ）】
2006044079.tif 000006
【図４】
2006044079.tif 000007
【図５】
2006044079.tif 000008
【図６】
2006044079.tif 000009
【図７】
2006044079.tif 000010
【図８】
2006044079.tif 000011
【図９】
2006044079.tif 000012
【図１０】
2006044079.tif 000013
【図１１】
2006044079.tif 000014